(57)【要約】【課題】開いた状態及び閉じた状態でそれぞれ位置保持ができる小窓扉を、単一の軸部材により枢着した電気機器収納箱を提供する。【解決手段】電気機器収納箱のカバー２に形成された小窓４内に、小窓扉５を棒状軸部材１１により枢着する。棒状軸部材１１は小窓扉５を貫通し、その両端を小窓４の両側壁６の係合孔１３に係合させ、またその中央部を小窓扉５の裏面突起１４に係合させてその弾性により小窓扉５を内側端方向に押圧させる。小窓扉５が開閉の中間状態においては小窓扉５の周壁１０の角部が小窓底面９に当たり外側に押し出されるため、小窓扉５は棒状軸部材１１の弾性により、開いた状態及び閉じた状態でそれぞれ安定に位置保持される。【選択図】    図２
2006228914.tif 000002
【特許請求の範囲】
【請求項１】
カバーに形成された小窓内に小窓扉を枢着した電気機器収納箱において、小窓扉の端部を貫通させた弾性のある棒状軸部材の両端を前記小窓の両側壁の係合孔に係合させ、またこの棒状軸部材の中央部を小窓扉の裏面突起に係合させてその弾性により小窓扉を内側端方向に押圧するとともに、小窓扉が開閉の中間状態においては小窓扉の周壁の角部が小窓底面に当たり、外側に押し出される構造としたことを特徴とする電気機器収納箱。
【請求項２】
棒状軸部材が、その両端部に段差部を備えたものであることを特徴とする請求項１記載の電気機器収納箱。
【発明の詳細な説明】
【技術分野】
【０００１】
本発明は、閉じたままで内部の電気機器を操作するための小窓扉を備えた電気機器収納箱に関するものである。
【背景技術】
【０００２】
電気機器収納箱は、本体内部に電気機器を収納し、本体前面をカバーで覆った構造のものであるが、内部の電気機器を操作するためにカバーを開閉する手数を省くことができるように、小窓扉を設けることが多い。
【０００３】
このような小窓扉は、開いた状態及び閉じた状態でそれぞれ安定に位置保持ができるように、ヒンジとは別に保持部材を設けるのが普通である。しかしこのためには別の保持部材を取付けることとなるので、部品点数が増えてコストアップに繋がるという問題があった。
【０００４】
また特許文献１に示されるように、略Ｕ字形の弾性軸を小窓の両側に配置してヒンジ機能と位置保持機能とを発揮させるようにしたものも提案されている。しかしこの構造はカバーの裏面側（内側）に弾性軸が突出するため、内部機器や配線に干渉するおそれがあった。
【特許文献１】特開平９−３５６１０号公報（図５）
【発明の開示】
【発明が解決しようとする課題】
【０００５】
本発明は上記した従来技術の問題点を解決して、開いた状態及び閉じた状態でそれぞれ位置保持ができる小窓を、部品点数を増加させることがなく、しかもカバー裏面側への突出部を生じることがないように設けた電気機器収納箱を提供することを目的とするものである。
【課題を解決するための手段】
【０００６】
上記の課題を解決するためになされた本発明は、カバーに形成された小窓内に小窓扉を枢着した電気機器収納箱において、小窓扉の端部を貫通させた弾性のある棒状軸部材の両端を前記小窓の両側壁の係合孔に係合させ、またこの棒状軸部材の中央部を小窓扉の裏面突起に係合させてその弾性により小窓扉を内側端方向に押圧するとともに、小窓扉が開閉の中間状態においては小窓扉の周壁の角部が小窓底面に当たり、外側に押し出される構造としたことを特徴とするものである。なお、棒状軸部材がその両端部に段差部を備えたものであることが好ましい。
【発明の効果】
【０００７】
本発明によれば、カバーに形成された小窓内に単一の棒状軸部材によって小窓扉を枢着することができ、しかもこの棒状軸部材の弾性を利用して小窓扉を開いた状態及び閉じた状態でそれぞれ位置保持させることができる。このため部品点数が増加せず、カバー裏面側への突出部を生じないので内部機器や配線に干渉するおそれがない。また請求項２のように棒状軸部材の両端部に段差部を形成しておけば、棒状軸部材が軸方向に移動して抜け落ちることを防止することができる。
【発明を実施するための最良の形態】
【０００８】
以下に本発明の好ましい実施形態を示す。
図１は本発明の実施形態を示す斜視全体図、図２と図３は分解斜視図である。これらの図面に示されるように、本発明の電気機器収納箱は箱本体１と、その前面を覆うカバー２とからなり、カバー２には箱本体１の内部に収納された配線用遮断器３を操作するための小窓４が形成され、その内部に小窓扉５が開閉自在に枢着されている。なお、カバー２は箱本体１に蝶番にて開閉可能に取付けてもよいし、ねじ等によって着脱可能に取付けてもよい。
【０００９】
小窓４はカバー２の前面から内部に凹状に形成されており、その両側壁６，６はカバー２の前面に対して垂直に形成されているが、小窓扉５が枢着されている側（図１の上側）の側壁７は、図２に示されるようにカバー２の前面に対して垂直部分８と、カバー２の前面に対して平行な小窓底面９とを持つ段状に形成されている。
【００１０】
またこの小窓４内に取付けられる小窓扉５は、図２、図３に示されるように四辺に内向きの周壁１０を備えており、図６に示すように周壁１０の高さを小窓４の側壁７の深さとほぼ同一として、閉じた状態ではカバー２の前面と小窓扉５とが同一面となるようにしてある。
【００１１】
本発明では小窓扉５を小窓４内に枢着するために、弾性のある棒状軸部材１１が用いられる。この棒状軸部材１１はピアノ線のような弾性線材を図２に示すように屈曲させ、両端部に段差部１２を形成したものである。棒状軸部材１１は小窓扉５の周壁１０の端部付近に形成されたＵ字状の凹部１７を貫通し、その両端は小窓４の両側壁６，６の係合孔１３，１３に係合されている。
【００１２】
棒状軸部材１１の両端部には段差部１２を形成してあるため、その中央部は係合孔１３，１３を結ぶ線から僅かに偏心する。図２に示されるように小窓扉５の裏面中央部には裏面に向かって裏面突起１４が突設されており、棒状軸部材１１の中央部をこの裏面突起１４の係合段部１５に弾性的に係合させる。棒状軸部材１１には段差部１２があるため、棒状軸部材１１の中央部を摘んでこの裏面突起１４の係合段部１５に係合させることは容易に行うことができる。
【００１３】
このようにして棒状軸部材１１を用いて小窓扉５を小窓４内に枢着すると、棒状軸部材１１の弾性によって小窓扉５には力がかかる。すなわち、図６のように小窓扉５を閉じた状態では、小窓扉５には右上方向の力（係合段部１５から係合孔１３の方向に向かう力）が作用し、その水平方向の分圧により小窓扉５の周壁１０の内端面は小窓底面９に押し付けられ、閉じた状態で安定に位置保持される。
【００１４】
また図４のように小窓扉５を開いた状態では、小窓扉５には右下方向の力（係合段部１５から係合孔１３の方向に向かう力）が作用し、その水平方向の分圧により小窓扉５の周壁１０は小窓底面９に押し付けられ、開いた状態で安定に位置保持される。
【００１５】
しかし開閉の中間状態では、図５に示すように小窓扉５の周壁１０の角部１６が小窓底面９に当たり、小窓扉５は棒状軸部材１１を撓ませながら外側に押し出される。このため図５のように、係合段部１５と係合孔１３と角部１６とが直線上に並んだ状態が中立位置になり、図５の位置から小窓扉５が上下何れかの方向に動かされると、図４または図６に示される安定位置を取る。従って内部の電気機器３を操作するために小窓扉５を開いたとき、その状態で位置保持させることができる。
【００１６】
なおこのような作用を行わせるためには、Ｕ字状の凹部１７の奥部に弾発されている棒状軸部材１１の中心Ｏと小窓扉５の角部１６との間の距離が、Ｕ字状の凹部１７の開口部に位置する、周壁１０の内端面１０ａの延長線と中心Ｏとの最短距離Ｏ−ａ、及び周壁１０と中心Ｏとの最短距離Ｏ−ｂまでの距離の何れよりも大であるようにしておく必要がある。
【００１７】
上記のように、本発明によれば単一の棒状軸部材１１によって小窓扉５を小窓４に枢着することができ、棒状軸部材１１の弾性を利用して、小窓扉５を図４に示す状態と図６に示す状態とでそれぞれ安定に位置保持させることができる。このため部品点数が増加することがなく、また棒状軸部材１１は内側への突出部を生じないので、内部機器や配線に干渉するおそれがない。
【図面の簡単な説明】
【００１８】
【図１】本発明の実施形態を示す斜視全体図である。
【図２】本発明の実施形態を示す分解斜視図である。
【図３】本発明の実施形態を示す他の分解斜視図である。
【図４】小窓扉を開いた状態を示す要部断面図である。
【図５】開閉の中間状態を示す要部断面図である。
【図６】小窓扉を閉じた状態を示す要部断面図である。
【符号の説明】
【００１９】
１  箱本体
２  カバー
３  電気機器
４  小窓
５  小窓扉
６  側壁
７  側壁
８  垂直部分
９  小窓底面
１０  周壁
１１  棒状軸部材
１２  段差部
１３  係合孔
１４  裏面突起
１５  係合段部
１６  角部
１７  Ｕ字状の凹部
【図１】
2006228914.tif 000003
【図２】
2006228914.tif 000004
【図３】
2006228914.tif 000005
【図４】
2006228914.tif 000006
【図５】
2006228914.tif 000007
【図６】
2006228914.tif 000008